(57)【要約】【課題】エステティックサロンにおいて、フェイシャルトリートメントを施す前に、被施術者の顔面の肌状態を、ます目状に区分して、細かく、且つ詳細にチェックして、そのチェックに基づき、施術者が被施術者に効果的なフェイシャルトリートメントを行うことができるようにした顔面の肌状態チェックシートを提供する。【解決手段】女性の頭部の前面部分１を表示したシート２の顔面部分３の全面を、複数の縦・横および斜めの線４でマトリックス状に区切って多数のます目５を形成すると共に、前記各ます目５に、該ます目５部分の肌状態をチェックリストに従い、着色ペンで複数の色に色分けして塗り分けるようする。【選択図】図１
0003139735.tif 000002
【実用新案登録請求の範囲】
【請求項１】
女性の頭部の前面部分を表示したシートの顔面部分の全面を、複数の縦・横および斜めの線でマトリックス状に区切って多数のます目を形成すると共に、前記各ます目に、該ます目部分の肌状態をチェックリストに従い、着色ペンで複数の色に色分けして塗り分けるようにしたことを特徴とする顔面の肌状態チェックシート。
【考案の詳細な説明】
【技術分野】
【０００１】
本考案は、例えば、エステティックサロンにおいて、フェイシャルトリートメントを施す前に、被施術者の顔面の肌状態を、ます目状に区分して、細かく、且つ詳細にチェックすることによって、そのチェックに基づき、施術者が被施術者に効果的なフェイシャルトリートメントを行うことができ、または、女性が自分自身でチェックすることにより、自分自身の顔面の肌状態を確認して、自分に合った最適の化粧品を選択したり、あるいは効果的なフェイシャルトリートメントを行うことができるようにした顔面の肌状態チェックシートに関するものである。
【背景技術】
【０００２】
従来、エステティックサロンにおいて使用されている被施術者の顔面の肌状態をチェックするシートは、単に顔面が表示されたシートに、施術者が被施術者から肌状態を聞き取ると共に、被施術者を目視して施術者が前記シートの所定位置にマークを付けたり、あるいは直接肌状態を表示していた。また、女性が自分自身で、顔面の肌状態をチェックすることのできるシートは、実用に供されていなかった。そして、これらシートに関する過去の特許文献を遡及検索しても、１件の先行特許文献をも発見することができなかった。
【０００３】
前記のような、従来のエステティックサロンにおいて使用されている被施術者の顔面の肌状態をチェックするシートは、単に顔面が表示されたシートに、施術者が被施術者から肌状態を聞き取ると共に、被施術者を目視して施術者が前記シートの所定位置にマークを付けたり、あるいは直接肌状態を表示していたに過ぎず、被施術者の肌状態を細かく、且つ詳細にチェックすることができないという課題があった。また、従来は、女性が自分自身の顔面の肌状態を、自分自身でチェックすることのできるシートは、実用に供されていなかったので、自分自身の顔面の肌状態を細かく、且つ詳細にチェックすることができないという課題があった。
【考案の開示】
【考案が解決しようとする課題】
【０００４】
本考案は、前記課題を解決すべくなされたもので、例えば、エステティックサロンにおいて、被施術者の顔面の肌状態を、ます目状に区分して、細かく、且つ詳細にチェックして、そのチェックに基づき、施術者が被施術者に効果的なフェイシャルトリートメントを施すことができ、または、女性が自分自身で顔面の肌状態を確認して、自分自身に合った最適の化粧品を選択したり、あるいは自分自身で効果的なフェイシャルトリートメントを行うことができるようにした顔面の肌状態チェックシートを提供しようとするものである。
【課題を解決するための手段】
【０００５】
本考案は、女性の頭部の前面部分を表示したシートの顔面部分の全面を、複数の縦・横および斜めの線でマトリックス状に区切って多数のます目を形成すると共に、前記各ます目に、該ます目部分の肌状態をチェックリストに従い、着色ペンで複数の色に色分けして塗り分けるようにするという手段を採用することにより、上記課題を解決した。
【考案の効果】
【０００６】
本考案顔面の肌状態チェックシートによれば、例えばエステティックサロンにおいて、フェイシャルトリートメントを施す前に、被施術者の顔面の肌状態を、ます目状に区分して細かく、且つ詳細にチェックすることができると共に、そのチェックに基づき、施術者が被施術者に効果的なフェイシャルトリートメントを行うことができる。更に、女性が自分自身によるチェックに基づき、自分自身の顔面の肌状態を確認して、自分に合った最適の化粧品を選択したり、あるいは自分自身で効果的なフェイシャルトリートメントを行うことができる。
【実施例】
【０００７】
本考案の実施例を図面に基づいて詳細に説明する。本考案顔面の肌状態チェックシートは、女性の頭部の全面部分１を表示したシート２顔面部分３の全面を複数の縦・横および斜めの線４でマトリックス状に区切って多数のます目５を設けて形成されている。
【０００８】
そして、本考案顔面の肌状態チェックシートを用いて、肌状態をチェックする人は、前記ます目５の位置に対応する顔面部分につき、特に限定する必要はないが、特に好ましくは、下記のＡ〜Ｃの３項目に分けると共に、各項目毎の多数の細目チェックリストに従って、顔面の現在の状態に該当するか否かを自己判断して、該当する場合は、フエルトペン等の着色ペンで各項目毎に色分けして、前記顔面に対応する位置のます目５部分を塗り分けて行く。該当しない場合は、着色ペンによる着色は不要である。
【０００９】
なお、特に限定する必要はないが、前記３項目の着色をそれぞれ区別して目立たせるために、例えば、Ａ項目を黄色、Ｂ項目を青色、Ｃ項目を赤色でそれぞれ色分け表示することが推奨される。そして、チェックする各項目と各項目の細目チェックリストは、下記の通りである。
【００１０】
[チェック項目Ａ]（黄色でチェック!）
・  洗顔後、即つっぱる。
・  朝は目立たないのに、夕方になるとシワっぽくなる。
・  白い粉が吹くところがある。
・  午後になると、ファンデーションがヨレたり、浮いたりする。
・  化粧水をたっぷりつけて寝ても、朝はカラカラの砂漠状態。
・  冷暖房などの影響で、一時的に小ジワが気になる。
・  気付くと、テッカテカに光っている!
・  日中、肌がカサカサになる。
【００１１】
[チェック項目Ｂ]（青色でチェック!）
・  黒ずみやくすみ、クマが気になる。
・  肌を触ると、デニムみたいにザラザラ、ゴワゴワする。
・  なかなか薄くならないシミがある。
・  肌の色ムラが気になる。
・  ニキビ（吹き出物）が出やすい。
・  じっくり見なくても、気になる毛穴がある。
・  寝不足の翌日は、ハリがないと感じる。
・  肌のキメが粗い、または整っていない。
【００１２】
[チェック項目Ｃ]（赤色でチェック!）
・  法令線が、くっきり目立っている。
・  化粧水を吸い込まない。
・  一日中消えない、深いシワがある。
・  明らかに、透明感がない!と感じる。
・  指で触ったときに、弾力がない!と感じる。
・  一年前に比べて、目元が下がった気がする。
・  一年前に比べて、口角が下がった気がする。
・  一年前に比べて、頬が下がって、ブルドック状態になっている
【００１３】
そして、前記各項目をチェックした結果、前記Ａ〜Ｃの中で、一番多くチェック（着色）が入ったグループが、被施術者、または、チェックした人の肌レベルとなり、下記のように記載された３つの項目のカウンセリングシートのうち、いずれかの方法の対応策が指示される。すなわち、
【００１４】
Ａが多かった人は→「カラカラの砂漠肌」と判断され、例えば、
「紫外線やエアコンの影響もあり、あなたの肌はカラカラの砂漠状態です。とにかく、細胞にたっぷりと水分補給してあげることが肝心。一時的なシワや目の下のちりめんジワの原因も水分不足。テカリが気になるオイリー肌の人も、実は肌の内側は乾燥しています。だからこそ、肌の水分バランスを整える必要があります。「○○化粧品」は、○○成分の働きで水分不足の細胞めがけて貯水。乾燥が気になる部分に、いつまでも潤いを与えてくれます。先ずは、週末の集中ケアで潤い肌を目指して!」というような対応策が指示される。 
【００１５】
Ｂが多かった人は→「ゴワゴワの加齢肌」と判断され、例えば、
「毎日お手入れしているはずなのに、吹き出物やシミなどの肌トラブルが気になる。睡眠不足やストレスがすぐに肌に出る。このような症状の人は、肌の回復力が低下していて、肌のターンオーバーも乱れがち。すでに老化がはじまっているサインです。なんとなく肌の調子が悪いと思っているうちに、本格的な老化が始まります。そうなる前に集中ケアを開始しましょう。肌の不調を整えるには保湿が大切。細胞への潤いを届ける「○○化粧品」で、細胞にしっかりと水分補給をしてあげましょう。」というような対応策が指示される。
【００１６】
Ｃが多かった人は→「シワシワの老化肌」と判断され、例えば、
「あなたの肌はすでに深刻な状態。実年齢よりもかなり年上に見られているかもしれません。私たちは加齢とともに、肌細胞を作り出す力が衰え、ハリや弾力が失われていきますが、肌の乾燥はさらにその力をパワーダウンさせます。肌の表面だけでなく、新しい細胞を作り出す基底層まで水分を届けさせてくれる「○○化粧品」で、水分不足の細胞にしっかり貯水しましょう。すでに老化がはじまっているあなたは、あせらず、じっくりとケアに取り組んで、ハリのある潤い肌を取り戻して下さい。」というような対応策が指示される。 
【００１７】
前記のように、エステティックサロンにおいて、本考案顔面の肌状態チェックシートを用いて、被施術者の顔面の肌状態チェックシートにより、施術者は被施術者の顔面の極めて正確な肌状態を把握することができるので、被施術者にとって最適な化粧品を勧めることもできるし、また、被施術者に対して効果的なフェイシャルトリートメントを施すことが可能となる。
【００１８】
また、女性が自分自身で、本考案顔面の肌状態チェックシートを用いて、自分の顔面の肌状態を確認して、自分に合った最適の化粧品を選択したり、あるいは自分自身で効果的なフェイシャルトリートメントを行うことができる。更に、前記肌状態チェックシートによって得られた自分自身の肌状態の悩みに対して、専門のエステティックサロンに効果的なフェイシャルトリートメントを依頼することもできる。
【図面の簡単な説明】
【００１９】
【図１】本考案顔面の肌状態チェックシートの平面図である。
【符号の説明】
【００２０】
１ 女性の頭部の前面部分
２ シート
３ 顔面部分
４ 縦・横および斜めの線
５ ます目
【図１】
0003139735.tif 000003